(57)【要約】【課題】現像剤担持体と感光体との相対的な位置関係を維持することができながら、感光体カートリッジの小型化を図ることができるプロセスカートリッジ、現像カートリッジおよび画像形成装置を提供すること。【解決手段】現像カートリッジ３に、取手７５と、取手７５を、感光ドラム４１と現像ローラ３１との接触部分４８に対する後方で支持する取手支持部５９とを備えさせ、取手支持部５９に、第２溝後壁８７を備えさせ、ドラムカートリッジ４に、ドラム軸４３の両端部を備えさせる。取手支持部５９を、第２溝後壁８７がドラム軸４３の両端部に対して、現像ローラ３１の後方から係合する係合位置と、それらの係合が解除される離脱許容位置との間を移動するように構成する。現像ローラ３１と感光ドラム４１とを、第１位置において、相対的な位置関係に維持する。【選択図】図１
2015176117.tif 000002
【特許請求の範囲】
【請求項１】
感光体を備える感光体カートリッジと、
前記感光体カートリッジに着脱可能であり、前記感光体に接触する現像剤担持体を備える現像カートリッジと
を備え、
前記現像カートリッジは、
取手と、
前記取手を、前記感光体と前記現像剤担持体との接触部分に対する前記現像剤担持体の反対側で支持する取手支持部と
を備え、
前記取手支持部は、第１係合部を備え、
前記感光体カートリッジは、前記接触部分に対する前記現像剤担持体の反対側に配置される第２係合部を備え、
前記取手支持部は、前記第１係合部が前記第２係合部に対して、前記現像剤担持体の反対側から係合する第１位置と、前記第１係合部と前記第２係合部との係合が解除される第２位置との間を移動するように構成され、
前記現像剤担持体と前記感光体とは、前記第１位置において、相対的な位置関係が維持されることを特徴とする、プロセスカートリッジ。
【請求項２】
前記取手支持部は、前記第１位置において、前記第１係合部が前記第２係合部を押圧するように付勢するように構成される付勢部を備えることを特徴とする、請求項１に記載のプロセスカートリッジ。
【請求項３】
前記取手支持部は、前記第１位置と前記第２位置との間を回動するように構成され、
前記第１係合部は、前記第２位置において、前記接触部分に対して前記感光体の反対側に配置されることを特徴とする、請求項１または２に記載のプロセスカートリッジ。
【請求項４】
前記現像カートリッジは、前記接触部分に対して、前記感光体の反対側に配置される第２取手を備えることを特徴とする、請求項１〜３のいずれか一項に記載のプロセスカートリッジ。
【請求項５】
前記現像剤担持体は、軸線を中心として回転するように構成され、
前記取手支持部は、
前記現像剤担持体の前記軸線に沿って延びる軸線方向と直交する第１方向に延びる第１部材と、
前記第１部材と前記軸線方向において間隔を空けて向かい合い、前記第１方向に延びる第２部材と、
前記第１部材および前記第２部材を前記軸線方向に連結する連結部材と
を備えることを特徴とする、請求項１〜４のいずれか一項に記載のプロセスカートリッジ。
【請求項６】
前記取手は、前記連結部材から突出することを特徴とする、請求項５に記載のプロセスカートリッジ。
【請求項７】
前記感光体は、前記第１位置に位置する前記取手支持部の前記第１部材と前記第２部材との間に配置されていることを特徴とする、請求項５または６に記載のプロセスカートリッジ。
【請求項８】
前記感光体は、前記軸線方向に延びる軸部を備え、
前記第２係合部は、前記感光体の前記軸部の前記軸線方向両端部のそれぞれであり、
前記第１部材および前記第２部材のそれぞれは、前記軸部の前記軸線方向端部を受け入れるように構成される溝部を有し、
前記第１係合部は、前記溝部の周縁であることを特徴とする、請求項５〜７のいずれか一項に記載のプロセスカートリッジ。
【請求項９】
前記感光体カートリッジは、前記感光体を支持する感光体筐体を備え、
前記感光体は、前記第１位置に位置する前記取手支持部の前記連結部材と前記現像剤担持体との間に配置され、
前記第１係合部は、前記第１位置において、前記連結部材から前記軸線方向および前記第１方向に対して直交する第２方向に延びる延出部であり、
前記第２係合部は、前記感光体筐体から、前記接触部分に対する前記現像剤担持体の反対側に突起する突起部であることを特徴とする、請求項５〜７のいずれか一項に記載のプロセスカートリッジ。
【請求項１０】
装置本体と、
前記装置本体に着脱可能である請求項１〜９のいずれか一項に記載のプロセスカートリッジと
を備え、
前記装置本体は、前記プロセスカートリッジの前記装置本体に対する着脱を案内するように構成される案内部を備え、
前記第１位置に位置する前記取手支持部は、前記プロセスカートリッジが前記装置本体に対して着脱されるときに、前記案内部に案内されることを特徴とする、画像形成装置。
【請求項１１】
前記取手支持部は、前記装置本体内の空気の流れを案内する空気案内路を備えることを特徴とする、請求項１０に記載の画像形成装置。
【請求項１２】
感光体を備える感光体カートリッジに着脱可能である現像カートリッジであって、
前記現像カートリッジが前記感光体カートリッジに装着された状態で、前記感光体に接触し、前記感光体に現像剤を供給するように構成される現像剤担持体と、
取手と、
前記取手を、前記感光体と前記現像剤担持体との接触部分に対する前記現像剤担持体の反対側で支持する取手支持部と
を備え、
前記取手支持部は、第１係合部を備え、
前記取手支持部は、前記現像カートリッジが前記感光体カートリッジに装着された状態で、前記第１係合部が前記感光体カートリッジに対して前記現像剤担持体の反対側から係合する第１位置と、前記第１係合部と前記感光体カートリッジとの係合が解除される第２位置との間を移動するように構成され、
前記現像剤担持体と前記感光体とは、前記第１位置において、相対的な位置関係が維持されることを特徴とする、現像カートリッジ。
【発明の詳細な説明】
【技術分野】
【０００１】
本発明は、プロセスカートリッジ、現像カートリッジおよび画像形成装置に関する。
【背景技術】
【０００２】
従来より、プロセスカートリッジが着脱可能に構成されるプリンタが知られている。プロセスカートリッジは、感光ドラムを有するドラムカートリッジと、現像ローラを有し、ドラムカートリッジに離脱可能に装着される現像カートリッジとを備える。このようなプロセスカートリッジにおいて、現像ローラを感光ドラムに安定して接触させる構成が知られている。
【０００３】
例えば、ドラムカートリッジが押圧部を備え、押圧部が、ドラムカートリッジに装着される現像カートリッジを押圧することによって、現像ローラを感光ドラムに向けて押圧するプロセスカートリッジが提案されている（例えば、下記特許文献１参照。）。
【０００４】
そのようなプロセスカートリッジでは、現像ローラが感光ドラムに接触した状態で、現像ローラと感光ドラムとの位置関係が維持され、現像ローラが感光ドラムにトナーを供給する。
【先行技術文献】
【特許文献】
【０００５】
【特許文献１】特開２００６−７２２８４号公報
【発明の概要】
【発明が解決しようとする課題】
【０００６】
しかるに、近年、ドラムカートリッジの小型化がますます望まれている。
【０００７】
しかしながら、特許文献１に記載のプロセスカートリッジでは、ドラムカートリッジが押圧部を備えているので、ドラムカートリッジの小型化を図るには限度がある。
【０００８】
そこで、本発明の目的は、現像剤担持体と感光体との相対的な位置関係を維持することができながら、感光体カートリッジの小型化を図ることができるプロセスカートリッジ、現像カートリッジおよび画像形成装置を提供することにある。
【課題を解決するための手段】
【０００９】
（１）上記した目的を達成するために、本発明のプロセスカートリッジは、感光体を備える感光体カートリッジと、感光体カートリッジに着脱可能であり、感光体に接触する現像剤担持体を備える現像カートリッジとを備えている。現像カートリッジは、取手と、取手を、感光体と現像剤担持体との接触部分に対する現像剤担持体の反対側で支持する取手支持部とを備えている。取手支持部は、第１係合部を備え、感光体カートリッジは、接触部分に対する現像剤担持体の反対側に配置される第２係合部を備えている。取手支持部は、第１係合部が第２係合部に対して、現像剤担持体の反対側から係合する第１位置と、第１係合部と第２係合部との係合が解除される第２位置との間を移動するように構成されている。現像剤担持体と感光体とは、第１位置において、相対的な位置関係が維持される。
【００１０】
このような構成では、現像カートリッジが、取手支持部を備え、取手支持部を第１位置に配置すれば、第１係合部が第２係合部に対して、現像剤担持体の反対側から係合する。これによって、現像カートリッジと感光体カートリッジとの相対移動が規制され、現像剤担持体と感光体とは、相対的な位置関係が維持される。そのため、感光体カートリッジが、現像剤担持体を感光体に向けて押圧する構成を備えることなく、現像剤担持体と感光体との相対的な位置関係を維持することができる。その結果、感光体カートリッジの小型化を図ることができる。
【００１１】
また、現像カートリッジは、取手を備えており、このような取手は、プロセスカートリッジを持ち運ぶときなどに把持できる。そのため、プロセスカートリッジの円滑な持ち運びを確保することができる。
【００１２】
さらに、取手を操作することにより、取手支持部の円滑な移動を確保できる。
【００１３】
また、取手支持部を第１位置から第２位置に移動すれば、第１係合部と第２係合部との係合が解除されるので、現像カートリッジを感光体カートリッジから容易に離脱させることができる。
【００１４】
従って、現像剤担持体と感光体との相対的な位置関係を維持することができながら、感光体カートリッジの小型化を図ることができ、かつ、取手支持部の円滑な移動、および、プロセスカートリッジの円滑な持ち運びを確保することができる。
（２）取手支持部は、第１位置において、第１係合部が第２係合部を押圧するように付勢するように構成される付勢部を備えていてもよい。
【００１５】
このような構成によれば、取手支持部が第１位置に位置する状態において、第１係合部が、付勢部によって第２係合部を押圧する。そのため、第１係合部と第２係合部とを確実に係合させることができ、現像剤担持体と感光体との相対的な位置関係をより確実に維持することができる。
（３）取手支持部は、第１位置と第２位置との間を回動するように構成されていてもよい。第１係合部は、第２位置において、接触部分に対して感光体の反対側に配置されていてもよい。
【００１６】
このような構成によれば、取手支持部は、回動するので、取手支持部を第１位置と第２位置とに容易に移動させることができる。
【００１７】
また、取手支持部を第１位置から第２位置に移動すれば、第１係合部が接触部分に対して感光体の反対側に配置されるので、第１係合部と第２係合部との係合を確実に解除でき、現像カートリッジに対する円滑な離脱を確保できる。
（４）現像カートリッジは、接触部分に対して、感光体の反対側に配置される第２取手を備えていてもよい。
【００１８】
このような構成によれば、現像カートリッジが第２取手を備えているので、現像カートリッジの円滑な持ち運びを確保できる。また、第２取手は、接触部分に対する現像剤担持体の反対側に配置される取手とは、接触部分に対して反対に配置される。そのため、取手および第２取手は、プロセスカートリッジにおいてバランスよく配置されており、取手および第２取手を把持することにより、プロセスカートリッジのより一層円滑な持ち運びを確保することができる。
（５）現像剤担持体は、軸線を中心として回転するように構成され、取手支持部は、現像剤担持体の軸線に沿って延びる軸線方向と直交する第１方向に延びる第１部材と、第１部材と軸線方向において間隔を空けて向かい合い、第１方向に延びる第２部材と、第１部材および第２部材を軸線方向に連結する連結部材とを備えていてもよい。
【００１９】
このような構成によれば、簡易な構成でありながら、第１部材、第２部材および連結部材によって、取手支持部を確実に構成することができる。
（６）取手は、連結部材から突出していてもよい。
【００２０】
このような構成によれば、取手を容易に把持することができる。
（７）感光体は、第１位置に位置する取手支持部の第１部材と第２部材との間に配置されていてもよい。
【００２１】
このような構成によれば、取手支持部が第１位置に位置する状態で、感光体が、第１部材と第２部材との間に配置されるので、取手支持部が第１位置に位置する状態において、第１部材、第２部材および感光体を効率的に配置できる。
（８）感光体は、軸線方向に延びる軸部を備え、第２係合部は、感光体の軸部の軸線方向両端部のそれぞれであり、第１部材および第２部材のそれぞれは、軸部の軸線方向端部を受け入れるように構成される溝部を有してもよい。第１係合部は、溝部の周縁であってもよい。
【００２２】
このような構成によれば、取手支持部が第１位置に位置する状態で、感光体の軸部の軸線方向端部が、溝部に挿入され、溝部の周縁と係合する。そのため、軸部の軸線方向端部と溝部の周縁とを、確実に係合させることができる。
【００２３】
また、第２係合部は、感光体の軸部の軸線方向両端部のそれぞれであるので、第２係合部を、感光体の軸部とは別途備える必要がない。そのため、部品点数を低減することができる。
（９）感光体カートリッジは、感光体を支持する感光体筐体を備え、感光体は、第１位置に位置する取手支持部の連結部材と現像剤担持体との間に配置されていてもよい。第１係合部は、第１位置において、連結部材から軸線方向および第１方向に対して直交する第２方向に延びる延出部であってもよい。第２係合部は、感光体筐体から、接触部分に対する現像剤担持体の反対側に突起する突起部であってもよい。
【００２４】
このような構成によれば、取手支持部が第１位置に位置する状態で、延出部と突起部とが、接触部分に対する現像剤担持体の反対側において、係合する。そのため、延出部と突起部とを確実に係合させることができる。
（１０）本発明の画像形成装置は、装置本体と、装置本体に着脱可能である上記したプロセスカートリッジとを備える。装置本体は、プロセスカートリッジの装置本体に対する着脱を案内するように構成される案内部を備える。第１位置に位置する取手支持部は、プロセスカートリッジが装置本体に対して着脱されるときに、案内部に案内される。
【００２５】
このような構成によれば、第１位置に位置する取手支持部は、プロセスカートリッジの装置本体に対する着脱時に、案内部に案内される。そのため、プロセスカートリッジを装置本体に対して容易かつ確実に着脱することができる。
【００２６】
また、画像形成装置は、現像剤担持体と感光体との相対的な位置関係を維持することができるプロセスカートリッジを備えるので、画像形成動作の信頼性を向上させることができる。
（１１）取手支持部は、装置本体内の空気の流れを案内する空気案内路を備えてもよい。
【００２７】
このような構成によれば、取手支持部が空気案内路を備えるので、装置本体内の空気の流れを案内することができる。そのため、装置本体内で発生する熱などを、空気の流れに伴って装置本体内から除去することができる。
（１２）本発明の現像カートリッジは、感光体を備える感光体カートリッジに着脱可能である現像カートリッジであって、現像カートリッジが感光体カートリッジに装着された状態で、感光体に接触し、感光体に現像剤を供給するように構成される現像剤担持体と、取手と、取手を、感光体と現像剤担持体との接触部分に対する現像剤担持体の反対側で支持する取手支持部とを備えている。取手支持部は、第１係合部を備えている。取手支持部は、現像カートリッジが感光体カートリッジに装着された状態で、第１係合部が感光体カートリッジに対して現像剤担持体の反対側から係合する第１位置と、第１係合部と感光体カートリッジとの係合が解除される第２位置との間を移動するように構成されている。現像剤担持体と感光体とは、第１位置において、相対的な位置関係が維持される。
【００２８】
このような構成では、取手支持部を第１位置に配置すれば、第１係合部が感光体カートリッジに対して、現像剤担持体の反対側から係合する。これによって、現像カートリッジと感光体カートリッジとの相対移動が規制され、現像剤担持体と感光体とは、相対的な位置関係が維持される。そのため、感光体カートリッジが、現像剤担持体を感光体に向けて押圧する構成を備えることなく、現像剤担持体と感光体との相対的な位置関係を維持することができる。その結果、感光体カートリッジの小型化を図ることができる。
【００２９】
また、取手は、取手支持部が第１位置に位置する状態において、現像カートリッジが装着された感光体カートリッジを持ち運ぶときなどに把持できる。そのため、現像カートリッジが装着された感光体カートリッジの円滑な持ち運びを確保することができる。
【００３０】
さらに、取手を操作することにより、取手支持部の円滑な移動を確保できる。そして、そのような取手が、取手支持部に支持されているので、感光体カートリッジが取手を備えている場合と比較して、感光体カートリッジの小型化を図ることができる。
【００３１】
また、取手支持部を第１位置から第２位置に移動すれば、第１係合部と感光体カートリッジとの係合が解除されるので、現像カートリッジを感光体カートリッジから容易に離脱させることができる。
【発明の効果】
【００３２】
本発明のプロセスカートリッジ、画像形成装置および現像カートリッジによれば、現像剤担持体と感光体との相対的な位置関係を維持することができながら、感光体カートリッジの小型化を図ることができ、かつ、取手支持部の円滑な移動、および、プロセスカートリッジの円滑な持ち運びを確保することができる。
【図面の簡単な説明】
【００３３】
【図１】図１は、本発明のプロセスカートリッジの第１実施形態を左上方から見た斜視図であって、取手支持部が係合位置に位置する状態を示す。
【図２】図２は、図１に示すプロセスカートリッジの中央断面図である。
【図３】図３は、図１に示す現像カートリッジを左上方から見た斜視図である。
【図４】図４は、図１に示すプロセスカートリッジが装着されたプリンタの側断面図である。
【図５】図５は、図１に示すプロセスカートリッジを左上方から見た斜視図であって、取手支持部が離脱許容位置に位置する状態を示す。
【図６】図６Ａは、図１に示す取手支持部の係合位置と離脱許容位置との間の移動を説明するための説明図であって、ドラム軸の左右両端部が第１溝に挿入される状態を示す。図６Ｂは、図６Ａに続いて、取手支持部の離脱許容位置と離脱許容位置との間の移動を説明するための説明図であって、ドラム軸の左右両端部が第１溝上壁に接触する状態を示す。図６Ｃは、図６Ｂに続いて、取手支持部の係合位置と離脱許容位置との間の移動を説明するための説明図であって、取手支持部が係合位置に位置する状態を示す。
【図７】図７は、本発明のプロセスカートリッジの第２実施形態における取手支持部の係合位置と離脱許容位置との間の移動を説明するための説明図であって、延出部が突起部に接触する状態を示す。図７Ｂは、図７Ａに続いて、取手支持部の係合位置と離脱許容位置との間の移動を説明するための説明図であって、取手支持部が係合位置に位置する状態を示す。
【発明を実施するための形態】
【００３４】
１．プロセスカートリッジの概略
図１および図２に示すように、プロセスカートリッジ１は、現像カートリッジ３と、感光体カートリッジの一例としてのドラムカートリッジ４とを備えている。
【００３５】
以下の説明において、プロセスカートリッジ１および後述するプリンタ５の方向について言及するときには、プロセスカートリッジ１およびプリンタ５を水平に載置した状態を基準とし、具体的には、各図に示す方向矢印を基準とする。
【００３６】
また、左右方向が軸線方向の一例であり、左方が軸線方向一方の一例、右方が軸線方向他方一例である。前後方向が、軸線方向と直交する第１方向の一例であり、前方が第１方向一方の一例、後方が第１方向他方の一例である。上下方向が、軸線方向および第１方向の両方向と直交する第２方向の一例であり、上方が第２方向一方の一例、下方が第２方向他方の一例である。
【００３７】
現像カートリッジ３は、現像フレーム３０と、現像剤担持体の一例としての現像ローラ３１とを備えている。
【００３８】
現像フレーム３０は、後方に向かって開放される略ボックス形状を有している。現像フレーム３０は、現像剤の一例としてのトナーを収容するように構成されている。
【００３９】
現像ローラ３１は、現像フレーム３０の後端部に配置されている。現像ローラ３１は、ローラ軸３２と、ローラ本体３３とを備えている。
【００４０】
ローラ軸３２は、左右方向に延びている。ローラ本体３３は、左右方向に延びる略円筒形状を有している。ローラ本体３３は、ローラ軸３２の両端部が露出するように、ローラ軸３２を被覆している。そして、現像ローラ３１は、ローラ軸３２の両端部が現像フレーム３０の側壁に回転可能に支持されていることによって、現像フレーム３０に支持されている。そのため、現像ローラ３１は、ローラ軸３２の軸線Ａを中心として回転するように構成されている。また、ローラ軸３２の両端部のそれぞれは、現像フレーム３０の両側壁のそれぞれから左右方向外方に突出している。ローラ本体３３の後方部分は、現像フレーム３０から露出している。
【００４１】
ドラムカートリッジ４は、現像カートリッジ３を離脱可能に装着している。つまり、現像カートリッジ３は、ドラムカートリッジ４に着脱可能である。ドラムカートリッジ４は、図２に示すように、感光体筐体の一例としてのドラムフレーム４０と、感光体の一例としての感光ドラム４１と、スコロトロン型帯電器４７と、転写ローラ４２とを備えている。
【００４２】
ドラムフレーム４０は、側面視略Ｌ字形状を有している。ドラムフレーム４０は、後フレーム４６と、前フレーム４５とを一体的に備えている。
【００４３】
後フレーム４６は、ドラムフレーム４０の後方部分であって、装着される現像カートリッジ３に対して後方に隣接配置されている。後フレーム４６は、前方に向かって開放される略ボックス形状を有する。後フレーム４６は、感光ドラム４１と、スコロトロン型帯電器４７と、転写ローラ４２とを収容している。
【００４４】
前フレーム４５は、ドラムフレーム４０の前方部分であって、装着される現像カートリッジ３に対して下方に配置され、現像カートリッジ３を離脱可能に支持している。前フレーム４５は、左右方向に延びる平面視略矩形状の板状を有し、後フレーム４６の底壁の前端部から前方に向かって延びている。
【００４５】
感光ドラム４１は、後フレーム４６内の前端部に配置されている。感光ドラム４１は、ドラム本体４４と、軸部の一例としてのドラム軸４３とを備えている。
【００４６】
ドラム本体４４は、左右方向に延びる略円筒形状を有しており、ドラム本体４４の左右両端面は閉鎖されている。ドラム軸４３は、左右方向に延びており、ドラム本体４４と中心軸線を共有するように、ドラム本体４４を貫通している。ドラム軸４３の両端部のそれぞれは、ドラム本体４４の両端面のそれぞれから左右方向外方に突出している。
【００４７】
そして、感光ドラム４１は、図５に示すように、ドラム本体４４の左右両端部のそれぞれが、後フレーム４６の両側壁のそれぞれに回転可能に支持されていることによって、ドラムフレーム４０に支持されている。なお、ドラム本体４４の左右両端面のそれぞれは、後フレーム４６の左右両側壁よりも左右方向外方に位置している。また、ドラム軸４３は、図２に示すように、後述する接触部分４８に対して現像ローラ３１の反対側に配置されている。ドラム本体４４の前方部分は、後フレーム４６から露出している。そして、ドラム本体４４の前端部は、ローラ本体３３の後端部と接触して、接触部分４８を構成している。
【００４８】
スコロトロン型帯電器４７は、感光ドラム４１の後上方において、ドラム本体４４と間隔を隔てて配置されている。
【００４９】
転写ローラ４２は、感光ドラム４１の下方に配置されている。転写ローラ４２は、後フレーム４６に回転可能に支持されている。転写ローラ４２は、ドラム本体４４の下端部と接触している。
２．プロセスカートリッジの使用態様
プロセスカートリッジ１は、図４に示すように、画像形成装置の一例としてのプリンタ５に装着されて使用される。
【００５０】
プリンタ５は、電子写真方式のモノクロプリンタである。プリンタ５は、装置本体６と、プロセスカートリッジ１と、図示しないスキャナユニットと、定着ユニット１５とを備えている。
【００５１】
装置本体６は、略ボックス形状を有している。装置本体６は、開口部７と、フロントカバー８と、給紙トレイ９と、排紙トレイ１０と、ダクト１３と、案内部の一例としての案内溝１４とを備えている。
【００５２】
開口部７は、装置本体６の前端部に配置されている。開口部７は、プロセスカートリッジ１の通過を許容するように、装置本体６の内外を前後方向に連通している。
【００５３】
フロントカバー８は、装置本体６の前端部に配置されている。フロントカバー８は、略板状を有している。フロントカバー８は、上下方向に延び、その下端部を支点として装置本体６の前壁に揺動可能に支持されている。そして、フロントカバー８は、開口部７を開放または閉鎖するように構成されている。
【００５４】
給紙トレイ９は、装置本体６内の底部に配置されている。給紙トレイ９は、用紙Ｐを収容するように構成されている。
【００５５】
排紙トレイ１０は、装置本体６の上壁の上面であって、用紙Ｐが載置されるように構成されている。
【００５６】
ダクト１３は、装置本体６内の後端部に配置されている。ダクト１３は、装置本体６内の空気を装置本体６外へ排出するように構成されている。
【００５７】
案内溝１４は、装置本体６の両側壁のそれぞれの内面に配置されている。案内溝１４は、装置本体６の左右両側壁のそれぞれの内面から、左右方向の外方に向かって凹んでおり、装置本体６の左右両側壁の前端部から後方に向かって延びている。そのため、案内溝１４は、前方に向かって開放されている。案内溝１４は、詳しくは後述するが、プロセスカートリッジ１の装置本体６に対する着脱を案内するように構成されている。
【００５８】
プロセスカートリッジ１は、装置本体６内において、給紙トレイ９の上方、かつ、ダクト１３の前方に配置されている。
【００５９】
図示しないスキャナユニットは、感光ドラム４１のドラム本体４４に向けて画像データに基づくレーザービームを出射するように構成されている。
【００６０】
定着ユニット１５は、装置本体６内の後端部において、プロセスカートリッジ１の後方に配置されている。定着ユニット１５は、加熱ローラ１６と、加圧ローラ１７とを備えている。加熱ローラ１６は、左右方向において、ダクト１３と重なるように配置されている。加圧ローラ１７は、加熱ローラ１６の下方に配置され、加熱ローラ１６の下端部に接触している。
【００６１】
そして、プリンタ５が画像形成動作を開始すると、図２に示すように、スコロトロン型帯電器４７は、感光ドラム４１のドラム本体４４の表面を一様に帯電する。図示しないスキャナユニットは、ドラム本体４４の表面を露光する。これにより、静電潜像が、ドラム本体４４の表面に形成される。
【００６２】
また、トナーは、現像ローラ３１に担持され、次いで、ドラム本体４４表面の静電潜像に供給される。これにより、トナー像が、ドラム本体４４の表面に担持される。
【００６３】
用紙Ｐは、図４に示すように、給紙トレイ９から、各種ローラの回転により、所定のタイミングで１枚ずつ、ドラムフレーム４０が有する図示しない開口を介して、ドラム本体４４と転写ローラ４２との間に給紙される。ドラム本体４４表面のトナー像は、用紙Ｐがドラム本体４４と転写ローラ４２との間を通過するときに、用紙Ｐに転写される。
【００６４】
次いで、用紙Ｐは、加熱ローラ１６と加圧ローラ１７との間を通過するときに加熱および加圧される。これにより、用紙Ｐ上のトナー像は、用紙Ｐに熱定着される。その後、用紙Ｐは、排紙トレイ１０に排紙される。
３．現像カートリッジの詳細
現像カートリッジ３は、図１および図３に示すように、取手ユニット６０と、第２取手の一例としての把持部６１とを備えている。
【００６５】
取手ユニット６０は、取手支持部５９と、取手７５とを備えている。
【００６６】
取手支持部５９は、図１に示すように、支持部本体５５と、ローラ軸挿入部６４と、付勢部の一例としてのバネ６５とを備えている。
【００６７】
取手支持部５９は、詳しくは後述するが、図１および図５に示すように、前後方向に沿う第１位置の一例としての係合位置と、前上方と後下方とを結ぶ方向に沿う離脱許容位置とに、揺動可能に構成されている。そこで、取手支持部５９の以下の説明は、図１、図２および図６Ｃに示すように、取手支持部５９が係合位置に位置する状態を基準として説明する。
【００６８】
支持部本体５５は、図１に示すように、第１部材６２と、第２部材６３と、連結部材７０とを一体的に有している。
【００６９】
第１部材６２は、取手支持部５９の左端部であって、前後方向に延びる略角柱形状を有している。第１部材６２は、現像フレーム３０および後フレーム４６の左方に配置されている。具体的には、図６Ｃに示すように、第１部材６２は、左右方向から見て、第１部材６２の前方部分が現像フレーム３０と重なり、第１部材６２の後方部分が後フレーム４６と重なり、第１部材６２の後端部が後フレーム４６よりも後方に突出している。
【００７０】
第２部材６３は、図１に示すように、取手支持部５９の右端部であって、前後方向に延びる略角柱形状を有している。第２部材６３の前後方向の寸法は、第１部材６２の前後方向の寸法と略同じである。第２部材６３は、現像フレーム３０および後フレーム４６の右方に配置されている。つまり、第２部材６３は、現像フレーム３０および後フレーム４６を挟むように、第１部材６２に対して、右方に間隔を空けて向かい合っている。そのため、感光ドラム４１は、係合位置に位置する取手支持部５９の第１部材６２および第２部材６３の間に配置されている。第２部材６３は、第１部材６２と、プロセスカートリッジ１の左右方向中央を通過し、前後方向に沿う仮想線Ｉに対して線対称に構成されている。
【００７１】
また、第１部材６２および第２部材６３のそれぞれは、図６Ｃに示すように、凹部６６と、溝部の一例としての嵌合溝８０とを有している。なお、第１部材６２および第２部材６３のそれぞれは、仮想線Ｉに対して線対称であるので、第１部材６２の凹部６６および嵌合溝８０を詳細に説明し、第２部材６３の凹部６６および嵌合溝８０の詳細な説明を省略する。
【００７２】
凹部６６は、第１部材６２の前方部分において、左右方向内面に配置されている。凹部６６は、前後方向に延びる側面視略矩形状を有しており、第１部材６２の左右方向内面から左右方向外方に凹んでいる。そのため、第１部材６２の前方部分は、上下方向および左右方向に切断したときの断面形状が、右方に開放される略Ｕ字形状を有している。
【００７３】
嵌合溝８０は、第１部材６２の前後方向略中央の下方部分であって、凹部６６の後方に配置されている。嵌合溝８０は、側面視略Ｌ字形状を有し、第１部材６２を左右方向に貫通している。嵌合溝８０は、第１溝８１と、第２溝８６とを有している。
【００７４】
第１溝８１は、図１および図６Ｃに示すように、上下方向に延びるスリット形状を有しており、第１部材６２の下面から、第１部材６２の上下方向途中まで側面視略直線状に延びている。また、第１溝８１の前後方向の内寸は、ドラム軸４３の外径と略同じである。第１部材６２において、第１溝８１の上方周縁は、第１溝上壁８２として構成されている。
【００７５】
第２溝８６は、前後方向に延びる略スリット形状を有しており、第１溝８１の上端から連続して後方に向かって延びている。また、第２溝８６の上下方向の内寸は、ドラム軸４３の外径と略同じである。なお、第１部材６２において、第２溝８６の後方周縁は、第１係合部の一例としての第２溝後壁８７として構成され、第２溝８６の下方周縁は、第２溝下壁８８として構成されている。第２溝後壁８７は、ドラム軸４３の周面に沿うように、後方に向かって凹む半円弧形状を有している。第２溝下壁８８は、第２溝後壁８７の下端部から連続して第１溝８１まで前方に向かって延びている。
【００７６】
連結部材７０は、図１に示すように、第１部材６２および第２部材６３の後端部間を左右方向に連結している。連結部材７０は、ドラムフレーム４０の後フレーム４６の後壁に対して後方に配置されている。そのため、感光ドラム４１は、図２に示すように、係合位置に位置する５９の連結部材７０と、現像ローラ３１との間に配置される。連結部材７０は、図１に示すように、左右方向に延びる背面視略矩形の板状を有している。連結部材７０は、空気案内路の一例としての貫通孔７１を備えている。
【００７７】
貫通孔７１は、左右方向に互いに間隔を隔てて複数配置されている。複数の貫通孔７１のそれぞれは、背面視略矩形状を有し、連結部材７０を前後方向に貫通している。
【００７８】
ローラ軸挿入部６４は、図６Ｃに示すように、第１部材６２および第２部材６３のそれぞれの凹部６６内に収容されている。ローラ軸挿入部６４は、前後方向に延びる略角柱形状を有する。ローラ軸挿入部６４の上下方向の寸法は、凹部６６の上下方向の内寸と略同じである。ローラ軸挿入部６４の前後方向の寸法は、凹部６６の前後方向の内寸よりも小さい。ローラ軸挿入部６４は、挿入穴６７を有している。
【００７９】
挿入穴６７は、ローラ軸挿入部６４の左右方向内面における後下方部分に配置されている。挿入穴６７は、側面視略円形状を有し、ローラ軸挿入部６４の左右方向内面から左右方向途中まで凹んでいる。挿入穴６７の内径は、ローラ軸３２の外径と略同じである。そして、挿入穴６７は、ローラ軸３２の両端部のそれぞれを回転可能に受け入れている。
【００８０】
そして、ローラ軸挿入部６４は、凹部６６内において、前後方向略中央に配置されている。そのため、ローラ軸挿入部６４の後面６９と、凹部６６の後面６８とは、前後方向に間隔を空けて向かい合い、ローラ軸挿入部６４の前面７２と、凹部６６の前面７３とは、前後方向に間隔を空けて向かい合っている。
【００８１】
バネ６５は、第１部材６２および第２部材６３のそれぞれの凹部６６に収容されており、詳しくは、ローラ軸挿入部６４の後面６９と、凹部６６の後面６８との間に配置されている。バネ６５は、前後方向に収縮可能に構成されており、前後方向に引張力を有する引っ張りバネである。バネ６５の前端部は、ローラ軸挿入部６４の後面６９の下方部分に接続され、バネ６５の後端部は、凹部６６の後面６８の下方部分に接続されている。つまり、バネ６５は、ローラ軸挿入部６４の後面６９と凹部６６の後面６８とが近づくような引張力を有している。
【００８２】
そして、取手支持部５９は、図１および図５に示すように、ローラ軸挿入部６４の挿入穴６７が、ローラ軸３２の両端部を回転可能に受け入れているので、ローラ軸３２の軸線Ａを支点として、係合位置と離脱許容位置とに回転可能に構成されている。
【００８３】
取手支持部５９が係合位置に位置する状態において、感光ドラム４１のドラム軸４３の両端部のそれぞれは、図１および図６Ｃに示すように、第２溝８６の後端に嵌合しており、第２溝後壁８７が、ドラム軸４３の両端部に対して後方から接触して係合している。つまり、第２溝後壁８７は、ドラム軸４３の両端部に対して、現像ローラ３１の反対側から係合しており、ドラム軸４３の左右両端部が第２係合部の一例として機能する。これによって、ドラム軸４３の両端部のそれぞれは、バネ６５の引張力に基づいて第２溝後壁８７によって前方に向かって押圧される。一方、ローラ軸３２の両端部のそれぞれは、バネ６５の引張力に基づいてローラ軸挿入部６４を介して後方に向かって押圧される。つまり、バネ６５は、取手支持部５９が係合位置にあるとき、第２溝後壁８７がローラ軸３２を前方に押圧するように付勢するとともに、ローラ軸挿入部６４がローラ軸３２を後方に押圧するように付勢する。
【００８４】
そのため、図２に示すように、感光ドラム４１のドラム本体４４の前端部と、現像ローラ３１のローラ本体３３の後端部とは、圧接されている。換言すれば、ローラ本体３３の後端部は、ドラム本体４４の前端部に対して相対的に押圧している。これによって、現像ローラ３１と感光ドラム４１とは、相対的な位置関係が維持されている。
【００８５】
取手７５は、図１に示すように、連結部材７０の後面における左右方向略中央に配置され、連結部材７０から後方に突出している。取手７５は、前方に向かって開く平面視略Ｕ字形状を有し、１対の前端部のそれぞれが、連結部材７０の後面に接合されている。つまり、取手７５は、支持部本体５５と一体に構成されており、取手支持部５９は、図２に示すように、取手７５を接触部分４８に対して、現像ローラ３１の反対側で支持されている。取手７５は、図１に示すように、仮想線Ｉが取手７５の左右方向中央を通過するように、配置されている。
【００８６】
把持部６１は、図１および図２に示すように、現像フレーム３０の前壁に接続されている。つまり、把持部６１は、接触部分４８に対して、感光ドラム４１の反対側に配置されている。把持部６１は、平面視略矩形枠形状を有している。把持部６１は、仮想線Ｉが左右方向中央を通過するように配置され、取手７５の後壁が、現像フレーム３０の前壁の前面に連結されている。つまり、把持部６１および取手７５は、プロセスカートリッジ１の前後両側のそれぞれに配置されており、前後方向から見て重なるように配置されている。
４．プロセスカートリッジの装置本体に対する着脱動作
（１）プロセスカートリッジの装置本体に対する装着動作
プロセスカートリッジ１を装置本体６に装着するには、まず、図４に示すように、フロントカバー８を揺動させて、開口部７を開放する。次いで、第１部材６２および第２部材６３が案内溝１４に挿入されるように、プロセスカートリッジ１を、開口部７を介して前方から装置本体６内に挿入する。そして、プロセスカートリッジ１を後方に向かって押し込むと、第１部材６２および第２部材６３が案内溝１４に案内されて、プロセスカートリッジ１が後方に移動する。その後、第１部材６２および第２部材６３の後端部が、案内溝１４の後端縁と接触する。これによって、プロセスカートリッジ１が装置本体６に装着される。このとき、プロセスカートリッジ１の連結部材７０が、ダクト１３の前方に位置する。その後、フロントカバー８を揺動させて、開口部７を閉鎖する。
【００８７】
プリンタ５が上記の画像形成動作を開始すると、例えば、加熱ローラ１６が発熱することにより、装置本体６内には、ダクト１３に向かう気流が生じる。このような気流は、前方から後方に向かって流動し、連結部材７０の貫通孔７１に案内されながら、貫通孔７１を通過し、ダクト１３を介して装置本体６外に排出される。
（２）プロセスカートリッジの装置本体からの離脱動作
プロセスカートリッジ１を装置本体６から離脱させるには、上記のプロセスカートリッジ１の装着動作と逆の手順で操作する。具体的には、まず、フロントカバー８を揺動させて、開口部７を開放し、把持部６１を把持して、プロセスカートリッジ１を前方に引き出す。すると、第１部材６２および第２部材６３が案内溝１４に案内されて、プロセスカートリッジ１が前方に移動する。これによって、プロセスカートリッジ１が装置本体６から離脱される。
【００８８】
なお、プロセスカートリッジ１を持ち運ぶ場合、ユーザは、把持部６１および取手７５を両手で把持する。このとき、ドラム軸４３の両端部が、図６Ｃに示すように、第２溝下壁８８に接触しているので、取手支持部５９の左側面視時計回りの回転が規制されている。
５．現像カートリッジのドラムカートリッジに対する着脱動作
（１）現像カートリッジのドラムカートリッジからの離脱動作
現像カートリッジ３をドラムカートリッジ４から離脱させるには、まず、図１および図６Ｃに示すように、ユーザが、取手７５を把持して、取手７５を後方に引っ張る。
【００８９】
そうすると、図６Ｂに示すように、支持部本体５５は、バネ６５の引張力に抗して後方に移動する。これにより、第２溝後壁８７が、後方に移動して、ドラム軸４３の両端部のそれぞれから離間する。つまり、第２溝後壁８７とドラム軸４３の両端部のそれぞれとの係合が解除される。そして、ドラム軸４３の両端部のそれぞれが、第２溝８６内から第１溝８１の上端に到達する。
【００９０】
次いで、取手７５を前上方に移動させ、取手支持部５９を軸線Ａを支点として左側面視時計回りに回転させる。これによって、図６Ａに示すように、ドラム軸４３の両端部のそれぞれは、第１溝８１を通過して、第１溝８１から離脱する。
【００９１】
引き続き、図５に示すように、取手支持部５９を回転させると、第１部材６２および第２部材６３の前端部が、ドラム軸４３の両端部のそれぞれに前下方から接触する。これによって、取手支持部５９は、それ以上の左側面視時計回りの回転が規制され、離脱許容位置に位置する。
【００９２】
つまり、取手支持部５９は、図６Ｃに示すように、第２溝後壁８７がドラム軸４３に係合する係合位置と、図５に示すように、支持部本体５５の前端部（開放側端部）がドラム軸４３の両端部に接触する離脱許容位置との間を回転移動する。
【００９３】
なお、図６Ｂに示すように、ドラム軸４３と第２溝後壁８７との係合が解除された直後から、図５に示すように、離脱許容位置までの取手支持部５９の位置が、第２位置に対応する。
【００９４】
また、取手支持部５９が離脱許容位置に位置する状態において、第２溝後壁８７は、接触部分４８に対して前上方、つまり、接触部分４８に対して感光ドラム４１の反対側に配置される。
【００９５】
その後、ユーザは、把持部６１を前上方に引き上げることによって、現像カートリッジ３をドラムカートリッジ４から離脱させる。
（２）現像カートリッジのドラムカートリッジに対する装着動作
現像カートリッジ３をドラムカートリッジ４に装着するには、まず、図３および図５に示すように、ユーザは、把持部６１を把持し、現像カートリッジ３をドラム本体４４の前フレーム４５に装着する。
【００９６】
その後、ユーザは、取手７５を把持して、図６Ａに示すように、取手支持部５９を、軸線Ａを支点として左側面視反時計回りに回転させる。すると、第１部材６２および第２部材６３のそれぞれの下面における第１溝８１よりも後方部分が、ドラム軸４３の両端部のそれぞれに前上方から接触する。その後、取手７５を後上方に引っ張る。これによって、支持部本体５５は、バネ６５の引張力に抗して、後上方に移動する。すると、第１溝８１が、ドラム軸４３の両端部のそれぞれを受け入れる。
【００９７】
続いて、図６Ｂに示すように、取手支持部５９を回転させると、ドラム軸４３の両端部のそれぞれが、第１溝８１の上端に到達し、第１溝上壁８２に接触する。
【００９８】
次いで、取手７５の引っ張りを解除すると、支持部本体５５は、バネ６５の引張力により前方に向かって移動する。そうすると、図６Ｃに示すように、ドラム軸４３の両端部のそれぞれは、第２溝８６の後端に到達し、第２溝後壁８７が、ドラム軸４３の両端部のそれぞれに後方から接触して係合する。
【００９９】
これにより、第２溝後壁８７が、バネ６５の引張力に基づいて、ドラム軸４３の両端部のそれぞれを、前方に向かって押圧する。すなわち、ドラム本体４４が、ドラム軸４３を介してローラ本体３３に向かって押圧される。
【０１００】
以上により、現像カートリッジ３のドラムカートリッジ４に対する装着が完了する。
６．作用効果
（１）現像カートリッジ３が、図６Ｃに示すように、取手支持部５９を備え、取手支持部５９を係合位置に配置すれば、第２溝後壁８７がドラム軸４３に対して、現像ローラ３１の後方から係合する。これによって、現像カートリッジ３とドラムカートリッジ４との相対移動が規制され、現像ローラ３１と感光ドラム４１とは、相対的な位置関係が維持される。そのため、ドラムカートリッジ４が、現像ローラ３１を感光ドラム４１に向けて押圧する構成を備えることなく、現像ローラ３１と感光ドラム４１との相対的な位置関係を維持することができる。その結果、ドラムカートリッジ４の小型化を図ることができる。
【０１０１】
また、現像カートリッジ３は、図１に示すように、取手７５を備えており、このような取手７５は、プロセスカートリッジ１を持ち運ぶときなどに把持できる。そのため、プロセスカートリッジ１の円滑な持ち運びを確保することができる。
【０１０２】
さらに、取手７５を操作することにより、図６Ａ〜図６Ｃに示すように、取手支持部５９の円滑な移動を確保できる。
【０１０３】
また、図５に示すように、取手支持部５９を係合位置から離脱許容位置に移動すれば、第２溝後壁８７とドラム軸４３の両端部との係合が解除されるので、現像カートリッジ３をドラムカートリッジ４から容易に離脱させることができる。
（２）図６Ｃに示すように、取手支持部５９が係合位置に位置する状態において、第２溝後壁８７が、バネ６５によってドラム軸４３の両端部を押圧する。そのため、第２溝後壁８７とドラム軸４３の両端部とを確実に係合させることができ、現像ローラ３１と感光ドラム４１との相対的な位置関係をより確実に維持することができる。
（３）取手支持部５９は、図５〜図６Ｃに示すように、回動するので、取手支持部５９を係合位置と離脱許容位置とに容易に移動させることができる。
【０１０４】
また、取手支持部５９を係合位置から離脱許容位置に移動すれば、図５に示すように、第２溝後壁８７が接触部分４８に対して感光ドラム４１の反対側に配置されるので、第２溝後壁８７とドラム軸４３の両端部との係合を確実に解除でき、現像カートリッジ３に対する円滑な離脱を確保できる。
（４）現像カートリッジ３は、図３に示すように、把持部６１を備えているので、現像カートリッジ３の円滑な持ち運びを確保できる。また、把持部６１は、プロセスカートリッジ１において、取手７５の反対に配置される。そのため、取手７５および把持部６１は、プロセスカートリッジ１においてバランスよく配置されており、取手７５および把持部６１を把持することにより、プロセスカートリッジ１のより一層円滑な持ち運びを確保することができる。
（５）支持部本体５５は、図３に示すように、第１部材６２、第２部材６３および連結部材７０によって構成されている。つまり、簡易な構成でありながら、支持部本体５５を確実に構成することができる。
（６）取手７５は、図１に示すように、連結部材７０から後方に向かって突出している。そのため、取手７５を容易に把持することができる。
（７）図１および図６Ｃに示すように、取手支持部５９が係合位置に位置する状態で、感光ドラム４１が、第１部材６２と第２部材６３との間に配置されるので、取手支持部５９が係合位置に位置する状態において、第１部材６２、第２部材６３および感光ドラム４１を効率的に配置できる。
（８）図１および図６Ｃに示すように、取手支持部５９が係合位置に位置する状態で、感光ドラム４１のドラム軸４３の左右両端部が、嵌合溝８０に挿入され、嵌合溝８０の第２溝８６の第２溝後壁８７と係合する。そのため、ドラム軸４３の左右両端部と第２溝８６の第２溝後壁８７とを、確実に係合させることができる。
【０１０５】
また、第２係合部は、感光ドラム４１のドラム軸４３の左右両端部のそれぞれであるので、第２係合部を、感光ドラム４１のドラム軸４３とは別途備える必要がない。そのため、部品点数を低減することができる。
（１０）係合位置に位置する取手支持部５９の第１部材６２および第２部材６３は、図４に示すように、装置本体６に対する着脱時に、案内溝１４に案内される。そのため、プロセスカートリッジ１を装置本体６に対して容易かつ確実に着脱することができる。
【０１０６】
また、プリンタ５は、現像ローラ３１と感光ドラム４１との相対的な位置関係を維持することができるプロセスカートリッジ１を備えるので、画像形成動作の信頼性を向上させることができる。
（１１）取手支持部５９が、図１に示すように、貫通孔７１を備えるので、図４に示すように、装置本体６内の空気の流れを案内することができる。そのため、装置本体６内で発生する熱などを、空気の流れに伴って装置本体６内から除去することができる。
７．第２実施形態 
上記の第１実施形態では、図６Ｂおよび図６Ｃに示すように、第２溝後壁８７が第１係合部に対応し、ドラム軸４３の両端部が第２係合部に対応している。しかし、これに限定されず、例えば、第２実施形態では、図７Ａおよび図７Ｂに示すように、支持部本体５５が、第１係合部の一例としての延出部９１を備え、ドラムフレーム４０が、第２係合部の一例としての突起部９０を備えている。
【０１０７】
突起部９０は、後フレーム４６の後壁に配置されている。突起部９０は、側面視略矩形状を有し、後フレーム４６の後壁の後面から後方に突出している。つまり、突起部９０は、後フレーム４６の後側から接触部分４８に対して現像ローラ３１の反対側に突起している。突起部９０は、ドラム軸４３より下方に位置している。
【０１０８】
延出部９１は、連結部材７０の下面に配置されている。延出部９１は、側面視略鉤状を有しており、平板部９１Ａと突部９１Ｂとを一体的に有している。
【０１０９】
平板部９１Ａは、連結部材７０の下面から下方に向かって延びる略平板形状を有している。平板部９１Ａは、後フレーム４６の後壁に対して、後方に間隔を隔てて配置されている。
【０１１０】
突部９１Ｂは、平板部９１Ａの前面の下端部から、前方に向かって突出している。突部９１Ｂは、側面略三角形状を有しており、詳しくは、突部９１Ｂの上端縁は、前後方向に延び、突部９１Ｂの前端縁は、前上方と後下方とを結ぶ方向に延びている。
【０１１１】
そして、図７Ｂに示すように、取手支持部５９が係合位置に位置する状態において、延出部９１の平板部９１Ａは、突起部９０に後方から接触して係合している。そして、延出部９１の平板部９１Ａは、バネ６５の引張力に基づいて突起部９０を前方に向かって押圧している。これによって、感光ドラム４１と現像ローラ３１とは、圧接されている。
【０１１２】
また、突部９１Ｂは、突起部９０に対して下方から係合している。これによって、取手支持部５９の左側面視時計回りの回動が規制されている。
【０１１３】
そして、取手支持部５９を係合位置から離脱許容位置に移動させるには、まず、ユーザが、取手７５を把持して後方に引っ張る。そうすると、支持部本体５５は、バネ６５の引張力に抗して後方に移動する。これにより、延出部９１が、後方に移動して、突起部９０から離間する。つまり、平板部９１Ａと突起部９０との係合が解除されるとともに、突部９１Ｂが、突起部９０よりも後方に位置する。次いで、取手７５を前上方に移動させ、取手支持部５９を軸線Ａを支点として左側面視時計回りに回転させると、図５に示すように、取手支持部５９が離脱許容位置に位置する。
【０１１４】
一方、取手支持部５９を離脱許容位置から係合位置に移動させるには、まず、ユーザは、取手７５を把持して、図７Ａに示すように、取手支持部５９を、軸線Ａを支点として左側面視反時計回りに回転させる。すると、突部９１Ｂの前端縁が、突起部９０の後上端部に上方から接触する。続いて、取手支持部５９を回転させると、突部９１Ｂの前端縁が突起部９０の後端部と摺擦した後、突部９１Ｂが突起部９０よりも下方に到達する。すると、取手支持部５９は、バネ６５の引張力により、前方に移動して、平板部９１Ａが突起部９０に後方から接触することによって、延出部９１が突起部９０と係合する。これによって、取手支持部５９が係合位置に移動する。
【０１１５】
このような第２実施形態によれば、取手支持部５９が係合位置に位置する状態で、延出部９１と突起部９０とが、接触部分４８よりも後方において、係合する。そのため、延出部９１と突起部９０とを確実に係合させることができる。
８．  変形例
上記した第１実施形態および第２実施形態では、現像カートリッジ３は、把持部６１を備えているが、現像カートリッジ３は、把持部６１を備えていなくてもよい。
【０１１６】
また、上記した第１実施形態および第２実施形態では、図６Ｃおよび図７Ｂに示すように、バネ６５は、ローラ軸挿入部６４の後面６９と、凹部６６の後面６８との間に配置されている。しかし、これに限定されず、バネ６５を、前後方向に伸張力を有する押しバネとして構成し、ローラ軸挿入部６４の前面７２と、凹部６６の前面７３との間に配置することもできる。
【０１１７】
また、上記した第１実施形態および第２実施形態では、バネ６５が付勢部に対応するが、付勢部は、バネ６５に代えて、ゴムなどの弾性部材を適用することもできる。
【０１１８】
また、上記した第１実施形態および第２実施形態では、取手支持部５９は、バネ６５を備えているが、取手支持部５９は、バネ６５を備えることなく、構成することもできる。
【０１１９】
その場合には、例えば、嵌合溝８０は、第１溝８１のみを有している。そして、第１溝８１の上端の後方周縁は、第１係合部の一例としての第１溝後壁として構成されている。
【０１２０】
取手支持部５９が係合位置に位置する状態において、嵌合溝８０は、第１溝後壁が、ドラム軸４３の両端部に後方から係合できるように、構成されている。
【０１２１】
あるいは、連結部材７０を第１係合部に対応させ、後フレーム４６の後壁を第２係合部に対応させることもできる。その場合には、第１部材６２および第２部材６３の前後方向の寸法は、取手支持部５９が係合位置に位置する状態において、連結部材７０の前面が後フレーム４６の後面と係合できるように、調節されている。
【０１２２】
また、図１の仮想線で示すように、ドラム軸４３は、支持部本体５５が係合位置に位置する状態において、ドラム軸４３の左右両端部が第１部材６２および第２部材６３よりも左右方向外方に突出するように構成することもできる。
【０１２３】
その場合には、ドラム軸４３の左右両端部が、プロセスカートリッジ１の装置本体６に対する着脱時に、案内溝１４に案内される。
【０１２４】
これらによっても、上記した第１実施形態および第２実施形態と同様の作用効果を奏することができる。
【０１２５】
また、このような第１実施形態、第２実施形態および変形例は、適宜組み合わせることができる。
【符号の説明】
【０１２６】
１     プロセスカートリッジ
３     現像カートリッジ
４     ドラムカートリッジ
５     プリンタ
６     装置本体
３０   現像フレーム
３１   現像ローラ
４０   ドラムフレーム
４１   感光ドラム
４３   ドラム軸
４８   接触部分
５９   取手支持部
６１   把持部
６２   第１部材
６３   第２部材
６５   バネ
７０   連結部材
７１   貫通孔
７５   取手
８０   嵌合溝
８７   第２溝後壁
９０   突起部
９１   延出部
【図１】
2015176117.tif 000003
【図２】
2015176117.tif 000004
【図３】
2015176117.tif 000005
【図４】
2015176117.tif 000006
【図５】
2015176117.tif 000007
【図６】
2015176117.tif 000008
【図７】
2015176117.tif 000009